(57)【要約】【課題】信号光の伝送状態をモニタするトラブル解析と、信号光の強度の常時監視とを同時に実施できる光クロスコネクト装置を提供する。【解決手段】Ｍ個の光入力ポートとＮ個の光出力ポートを備えるＭ×Ｎマトリックス型光スイッチ３と、この光スイッチの切替制御を行う制御部２とを備え、光入力ポートから入力された伝搬光を任意の出力ポートに出力する光クロスコネクト装置１であって、光入力ポートと入力端子との間に光タップカプラ４ａ，４ｂをカスケード接続して配置し、２段目の光タップカプラ４ｂの一方の出力端にＰＤ５を接続し、他方の出力端にモニタポートを接続することで、伝搬された信号光の強度を監視する常時監視機能と、ネットワーク上の信号光の伝送状態を解析するためのモニタ機能とを設けることができるので、伝送路上でのトラブル解析と信号光の強度の監視を同時に実施することができる光クロスコネクト装置を提供することができる。【選択図】      図１
2005045334.tif 000002
【特許請求の範囲】
【請求項１】
Ｍ×Ｎ個の切替手段を有するＭ×Ｎマトリックス型光スイッチと、該Ｍ×Ｎマトリックス型光スイッチの入力端子に接続されるＭ個の光入力ポートと、該Ｍ×Ｎマトリックス型光スイッチの出力端子に接続されるＮ個の光出力ポートと、前記切替手段を切替制御する制御手段とを少なくとも備え、ある光入力ポートから信号光が入力されると所定の光出力ポートに信号光を出力する光クロスコネクト装置であって、
前記光入力ポートと前記入力端子との間、または／及び前記出力端子と前記光出力ポートとの間に挿入配置される光分岐手段は、１本の入力端に対し複数本の出力端を有し、該出力端のうち少なくとも１本は前記入力端子に接続され、該出力端のうち１本は信号光の強度を検出する受光素子に接続され、該出力端のうち１本はモニタポートに接続されることを特徴とする光クロスコネクト装置。
【請求項２】
前記光分岐手段は、
１本の入力端に対し２本の出力端を有する光分岐手段であって、該光分岐手段を２段カスケード接続してなる光分岐手段であることを特徴とする請求項１記載の光クロスコネクト装置。
【請求項３】
前記光分岐手段は、
１本の入力端に対し３本の出力端を有する３分岐基板型光導波路スプリッタであることを特徴とする請求項１記載の光クロスコネクト装置。
【請求項４】
Ｍ×Ｎ個の切替手段を有するＭ×Ｎマトリックス型光スイッチと、該Ｍ×Ｎマトリックス型光スイッチの入力端子に接続されるＭ個の光入力ポートと、該Ｍ×Ｎマトリックス型光スイッチの出力端子に接続されるＮ個の光出力ポートと、前記切替手段を切替制御する制御手段とを少なくとも備え、ある光入力ポートから信号光が入力されると所定の光出力ポートに信号光を出力する光クロスコネクト装置であって、
前記光入力ポートと前記入力端子との間に配置される１本の入力端に対し２本の出力端を有する第１の光分岐手段は、一方の出力端が該入力端子に接続され、他方の出力端がモニタポートに接続され、
前記出力端子と前記光出力ポートとの間に配置される１本の入力端に対し２本の出力端を有する第２の光分岐手段は、一方の出力端が該出力ポートに接続され、他方の出力端が光信号の強度を検出する受光素子に接続されることを特徴とする光クロスコネクト装置。
【請求項５】
Ｍ×Ｎ個の切替手段を有するＭ×Ｎマトリックス型光スイッチと、該Ｍ×Ｎマトリックス型光スイッチの入力端子に接続されるＭ個の光入力ポートと、該Ｍ×Ｎマトリックス型光スイッチの出力端子に接続されるＮ個の光出力ポートと、前記切替手段を切替制御する制御手段とを少なくとも備え、ある光入力ポートから信号光が入力されると所定の光出力ポートに信号光を出力する光クロスコネクト装置であって、
前記光入力ポートと前記入力端子との間、または／及び前記出力端子と前記出力ポートとの間に挿入配置される光分岐手段は、１本の入力端に対し複数本の出力端を有し、該出力端のうち少なくとも１本は前記入力端子に接続され、該出力端のうち１本はモニタポートに出力され、該出力端のうち１本はＮ入力１出力選択型光スイッチの入力端子に接続され、Ｎ入力１出力選択型光スイッチの出力端子は信号光の強度を検出する受光素子に接続されることを特徴とする光クロスコネクト装置。
【請求項６】
前記光分岐手段と、前記モニタポートの間に光アイソレータを設けることを特徴とする請求項１乃至５のいずれか１項に記載の光クロスコネクト装置。
【請求項７】
Ｍ×Ｎ個の切替手段を有するＭ×Ｎマトリックス型光スイッチと、該Ｍ×Ｎマトリックス型光スイッチの入力端子に接続されるＭ個の光入力ポートと、該Ｍ×Ｎマトリックス型光スイッチの出力端子に接続されるＮ個の光出力ポートと、前記切替手段を切替制御する制御手段とを少なくとも備え、ある光入力ポートから信号光が入力されると所定の光出力ポートに信号光を出力する光クロスコネクト装置であって、
前記光入力ポートと前記入力端子との間、または／及び前記出力端子と前記出力ポートとの間に挿入配置される光分岐手段は、１本の入力端に対し複数本の出力端を有し、該出力端のうち少なくとも１本は前記入力端子に接続され、該出力端のうち１本は信号光の強度を検出する受光素子に接続され、該出力端のうち１本はＮ入力１出力選択型光スイッチの入力端子に接続され、Ｎ入力１出力選択型光スイッチの出力端子はモニタポートに接続されることを特徴とする光クロスコネクト装置。
【請求項８】
前記制御手段は、
前記受光素子で変換される電気信号を監視しており、該電気信号が基準値を下回ったときは、外部に警報信号を出力して外部報知することを特徴とする請求項１乃至７記載の光クロスコネクト装置。
【発明の詳細な説明】
【０００１】
【発明の属する技術分野】
光通信分野のうちメトロエリアなどにおいて光パス切り替えに利用される小規模・中規模の光クロスコネクト装置に関し、特に、ＴＣＰ／ＩＰ網上で運用中に発生したネットワークトラブルの解析およびＴＣＰ／ＩＰ網上の信号光の有無を監視することができる光クロスコネクト装置に関する。
【０００２】
【従来の技術】
近年、ＴＣＰ／ＩＰ網の普及に伴い、ＩＥＥＥ８０２．３に規定されているイーサネット（登録商標）技術が、フロア内の近距離のＬＡＮのみならず、数ｋｍから数十ｋｍといった中距離の伝送にも活用されている。
【０００３】
例えば、ＩＥＥＥ  Ｓｔａｎｄａｒｄ  ８０２．３ａｅの１０ギガビットイーサネット（登録商標）規格においては、ＷＡＮ用の物理層が規定され、１０ＧＢＡＳＥ−ＥＷの場合、１．５５μｍ帯用のシングルモード光ファイバを用いて１０Ｇｂｐｓの信号を４０ｋｍ程度伝送することが可能である。
【０００４】
また、ファイバチャネル技術によっても同様に、シングルモード光ファイバを用いて１Ｇｂｐｓの信号を１０ｋｍ程度伝送することが可能である。
【０００５】
このような伝送形態において、信号光を高速切替することが可能なＭ×Ｎマトリックス型光スイッチを備えた光クロスコネクト装置が光パス切り替えに利用されている。図８は、このような一般的なＭ×Ｎマトリックス型光スイッチの概略を示す構成図である。
【０００６】
図８に示すように、この光クロスコネクト装置１０１は、Ｍ×Ｎ個のＭＥＭＳミラーを備えたＭ×Ｎマトリックス型光スイッチ１０３と、制御部１０２と、Ｍ本の光入力ポート１，２，・・・Ｍと、Ｎ本の光出力ポート１，２，・・・Ｎとを少なくとも備え、Ｍ×Ｎマトリックス型光スイッチ１０３の入力端子には光入力ポート１，２，・・・Ｍが接続され、出力端子には光出力ポート１，２，・・・Ｎが接続されている。また、制御通信入出力ポートは、制御部１０２を介してＭ×Ｎマトリックス型光スイッチ１０３に接続されている。
【０００７】
このような光クロスコネクト装置１０１において、制御通信入出力ポートからＭＥＭＳミラーの切替指示を含む光パス切替信号が入力されると、制御部１０２は、この光パス切替信号からＭＥＭＳミラー番号を抽出し、このＭＥＭＳミラーに対して駆動制御信号を送る。これにより、所望の入力ポートと、所望の出力ポートとの光経路確立が行われ、この入力ポートから入力された信号光は、目的の出力ポートから出力される。
【０００８】
実際には、このような光クロスコネクト装置１０１の構成に加え、ネットワーク運用時の障害検知・障害解析，冗長化を目的とする各種監視機構の追加や、光スイッチ構成の工夫がなされている。
【０００９】
ところで、上述したようなネットワーク通信網においては、設備コストの低減を重視する場合が多い。そのため、ネットワーク上でトラブルが発生した場合は、トラブル発生時のみ可搬型ネットワークアナライザ（あるいはプロトコルアナライザ）を発生箇所に接続して、簡便な障害対応方法を取ることがよく行われている。
【００１０】
そこで、このようなネットワークで上記の光クロスコネクト装置１０１を適用する場合は、光クロスコネクト装置１０１に予め可搬型ネットワークアナライザを接続するためのモニタポートを設けることが望ましい。例えば、図９に示すように、信号光を分岐させるためのタップ光カプラ（光タップカプラともいう。）１０４を、光入力ポートとＭ×Ｎマトリックス型光スイッチ１０３との間に設け、光タップカプラ１０４で分岐された経路の先にモニタポートを設けることで実現できる。
【００１１】
このような構成とすることで、光入力ポートから入力された信号光は、光タップカプラ１０４で二分岐され、その後、一方の信号光はＭ×Ｎマトリックス型光スイッチに出力され、他方の信号光はモニタポートに出力されるので、モニタポートに可搬型ネットワークアナライザを接続しておけば、信号光の伝送状態をリアルタイムで監視することができる。
【００１２】
また一方で、このような光クロスコネクト装置１１１自体に、予め信号光を常時監視する仕組みを組み込んで、光信号断等の検出を行うことが既に行われている。図１０に、このような常時監視型の光クロスコネクト装置１２１の構成を示す。
【００１３】
この光クロスコネクト装置１２１は、Ｍ×Ｎマトリックス型光スイッチ１０３と光出力ポートの間に光タップカプラ１０４が設けられており、光タップカプラ１０４で分岐された一方の経路には出力ポートが接続され、他方の経路には受光素子（Ｐｈｏｔｏ  Ｄｉｏｄｅ、以下、ＰＤという。）１０５が接続されている。このときＰＤ１０５は、制御部１０２に接続されている。
【００１４】
このような光クロスコネクト装置１２１によれば、制御部１０２がＰＤ１０５の出力を常時監視しているので、光信号が検出されるべき回線で信号光が検出されない、いわゆる「光信号断」の発生を検知したときは、警報信号を出力して外部報知することができる。尚、警報信号としては例えば、ＴＣＰ／ＩＰ網の場合、一般にＩｎｔｅｒｎｅｔ  Ｅｎｇｉｎｅｅｒｉｎｇ  Ｔａｓｋ  Ｆｏｒｃｅ  においてＲＦＣ１１５７などの一連の標準（あるいは実験標準・提案標準）として定められた、プロトコルＳＮＭＰなどを用いることで実現できる。
【００１５】
また、ある光出力ポートでＰＤ１０５により光信号断が検出された場合は、制御部１０２は、ＳＮＭＰの規約に従った「トラップ」パケットを予め設定されているＮｅｔｗｏｒｋ  Ｍａｎａｇｅｍｅｎｔ  Ｓｔａｔｉｏｎ（ＮＭＳ）に対して送出し、「トラップ」パケットを受信したＮＭＳが、「トラップ」から得た情報に基づき、例えばプロテクション回線への切り換え動作を指示することで、障害回避の対応を実施することができる。
【００１６】
【特許文献１】
特開平９−２７９７５号公報
【００１７】
【特許文献２】
特開平１０−２００４８９号公報
【００１８】
【特許文献３】
特開平１１−２７２０８号公報
【００１９】
【特許文献４】
特開平１１−４１１７３号公報
【００２０】
【発明が解決しようとする課題】
上述したように、ネットワーク上で発生する実際の障害対応としては、図１０に示した常時監視方法で障害を自動的に検出する対応と、図９に示したモニタポートを用いて可搬型ネットワークアナライザで信号光を調査する対応とがある。しかしこれら対応策は、目的や対象がそれぞれ異なるものである。
【００２１】
つまり、常時監視方法で障害を自動的に検出する対応においては、目的が信号光の有無状態を監視することにあり、対象が光クロスコネクト装置に入射する信号光や、Ｍ×Ｎマトリックス型光スイッチから出力される信号光である。
【００２２】
一方、モニタポートにネットワークアナライザを接続する対応においては、目的が信号光の伝送内容自体を解析しトラブルの原因を解明することにあり、或いは分散による波形の乱れ等によって信号光の情報伝送に問題が生じているようなことがないか確認することにあって、対象が伝送路上を伝搬している信号光自体である。
【００２３】
このように両対応策とも障害対応策という意味では共通するものの、使用目的や監視対象が違う。現実としてはこれら対応策を両方とも兼ね備える光クロスコネクト装置の実現化が切望されている。
【００２４】
そこで本発明は、上記課題を鑑みてなされたものであり、その目的は、信号光の強度を監視する常時監視機能と、ネットワーク上の信号光の伝送状態をモニタするモニタ機能とを設けることで、伝送路上でのトラブル解析と、信号光の強度の監視を同時に実施することができる光クロスコネクト装置を提供することにある。
【００２５】
【課題を解決するための手段】
請求項１記載の発明は、Ｍ×Ｎ個の切替手段（ＭＥＭＳミラー）を有するＭ×Ｎマトリックス型光スイッチと、このＭ×Ｎマトリックス型光スイッチの入力端子に接続されるＭ個の光入力ポートと、このＭ×Ｎマトリックス型光スイッチの出力端子に接続されるＮ個の光出力ポートと、切替手段を切替制御する制御手段（制御部）とを少なくとも備え、ある光入力ポートから信号光が入力されると所定の光出力ポートに信号光を出力する光クロスコネクト装置であって、光入力ポートと入力端子との間、または／及び出力端子と光出力ポートとの間に挿入配置される光分岐手段（光タップカプラ、若しくは光導波路スプリッタ）は、１本の入力端に対し複数本の出力端を有し、この出力端のうち少なくとも１本はＭ×Ｎマトリックス型光スイッチの入力端子または光出力ポートに接続され、この出力端のうち１本は信号光の強度を検出する受光素子（フォトダイオード）に接続され、この出力端のうち１本はモニタポートに接続されることを要旨とする。
【００２６】
請求項２記載の本発明は、請求項１記載の光クロスコネクト装置であって、光分岐手段は、１本の入力端に対し２本の出力端を有する光分岐手段であって、この光分岐手段を２段カスケード接続してなる光分岐手段であることを要旨とする。
【００２７】
請求項３記載の本発明は、請求項１記載の光クロスコネクト装置であって、光分岐手段は、１本の入力端に対し３本の出力端を有する３分岐基板型光導波路スプリッタであることを要旨とする。
【００２８】
請求項４記載の本発明は、Ｍ×Ｎ個の切替手段を有するＭ×Ｎマトリックス型光スイッチと、このＭ×Ｎマトリックス型光スイッチの入力端子に接続されるＭ個の光入力ポートと、このＭ×Ｎマトリックス型光スイッチの出力端子に接続されるＮ個の光出力ポートと、切替手段を切替制御する制御手段とを少なくとも備え、ある光入力ポートから信号光が入力されると所定の光出力ポートに信号光を出力する光クロスコネクト装置であって、光入力ポートと入力端子との間に配置される１本の入力端に対し２本の出力端を有する第１の光分岐手段は、一方の出力端がこの入力端子に接続され、他方の出力端がモニタポートに接続され、出力端子と光出力ポートとの間に配置される１本の入力端に対し２本の出力端を有する第２の光分岐手段は、一方の出力端が該出力ポートに接続され、他方の出力端が光信号の強度を検出する受光素子に接続されることを要旨とする。
【００２９】
請求項５記載の本発明は、Ｍ×Ｎ個の切替手段を有するＭ×Ｎマトリックス型光スイッチと、このＭ×Ｎマトリックス型光スイッチの入力端子に接続されるＭ個の光入力ポートと、このＭ×Ｎマトリックス型光スイッチの出力端子に接続されるＮ個の光出力ポートと、切替手段を切替制御する制御手段とを少なくとも備え、ある光入力ポートから信号光が入力されると所定の光出力ポートに信号光を出力する光クロスコネクト装置であって、光入力ポートと入力端子との間、または／及び出力端子と出力ポートとの間に挿入配置される光分岐手段は、１本の入力端に対し複数本の出力端を有し、この出力端のうち少なくとも１本は入力端子に接続され、この出力端のうち１本はモニタポートに出力され、この出力端のうち１本はＮ入力１出力選択型光スイッチの入力端子に接続され、Ｎ入力１出力選択型光スイッチの出力端子は信号光の強度を検出する受光素子に接続されることを要旨とする。
【００３０】
請求項６記載の本発明は、請求項１乃至５に記載の光クロスコネクト装置において、光分岐手段とモニタポートの間に光アイソレータを設けることを要旨とする。
【００３１】
請求項７記載の本発明は、Ｍ×Ｎ個の切替手段を有するＭ×Ｎマトリックス型光スイッチと、このＭ×Ｎマトリックス型光スイッチの入力端子に接続されるＭ個の光入力ポートと、このＭ×Ｎマトリックス型光スイッチの出力端子に接続されるＮ個の光出力ポートと、切替手段を切替制御する制御手段とを少なくとも備え、ある光入力ポートから信号光が入力されると所定の光出力ポートに信号光を出力する光クロスコネクト装置であって、光入力ポートと入力端子との間、または／及び出力端子と出力ポートとの間に挿入配置される光分岐手段は、１本の入力端に対し複数本の出力端を有し、この出力端のうち少なくとも１本は入力端子に接続され、この出力端のうち１本は信号光の強度を検出する受光素子に接続され、この出力端のうち１本はＮ入力１出力選択型光スイッチの入力端子に接続され、Ｎ入力１出力選択型光スイッチの出力端子はモニタポートに接続されることを要旨とする。
【００３２】
請求項８記載の本発明は、請求項１乃至７記載の光クロスコネクト装置において、制御手段は、受光素子で変換される電気信号を監視しており、この電気信号が基準値を下回ったときは、外部に警報信号を出力して外部報知することを要旨とする。
【００３３】
【発明の実施の形態】
以下、本発明の実施の形態を図面を参照して説明する。
【００３４】
（第１の実施の形態）
図１は、本発明の第１の実施の形態に係る光クロスコネクト装置１の構成を示す図である。
【００３５】
本発明の光クロスコネクト装置１は、Ｍ×Ｎ個のＭＥＭＳミラーを備えたＭ×Ｎマトリックス型光スイッチ３と、制御部２と、Ｍ本の光入力ポート１，２，・・・Ｍと、Ｎ本の光出力ポート１，２，・・・Ｎと、入力ポートとＭ×Ｎマトリックス型光スイッチ３の間に配置される第１の光タップカプラ４ａと、この第１の光タップカプラ４ａにカスケード接続される第２の光タップカプラ４ｂと、第２の光タップカプラ４ｂの後段に接続されるＰＤ５とを少なくとも備え、第２の光タップカプラ４ｂで分岐された一方の出力端にモニタポートが設けられており、ＰＤ５は制御部２に接続されている。また、Ｍ×Ｎマトリックス型光スイッチ３も制御部２に接続されている。制御部２は制御通信入出力ポートを介して外部からの光パス切替信号など各種制御信号を受け取り、また各種状態情報を外部に送出する。
【００３６】
具体的に第１の光タップカプラ４ａは、入力側が入力ポートに接続され、出力側がＭ×Ｎマトリックス型光スイッチ３と第２の光タップカプラ４ｂとにそれぞれ接続されている。第２の光タップカプラ４ｂは、入力側が第１の光タップカプラ４ａの出力と接続されており、出力側がＰＤ５とモニタポートに接続されている。これら光タップカプラ４ａ，４ｂは、２本の光ファイバを溶融延伸して作製される分岐比固定型のカプラであり、その分岐比率は、例えば第１の光タップカプラ４ａが９：１、第２の光タップカプラが５：５に設計されている。
【００３７】
これにより第１の光タップカプラ４ａで分岐された１０％の信号光が第２の光タップカプラ４ｂに入力され、第２の光タップカプラ４ｂで、この信号光が更に２分岐されてＰＤ５とモニタポートにそれぞれ５％ずつ出力される。
【００３８】
尚、ここで分岐比率は、モニタポートに接続される可搬型ネットワークアナライザや、装置設計事項により決定されるものである。従って、分岐比率は上述の分岐比率に限定されず、必要に応じて変更されるものである。
【００３９】
次に、本発明の光クロスコネクト装置１の作用・効果を説明する。
まず、光クロスコネクト装置１に内蔵される制御部２は、制御通信入出力ポートを介してＭＥＭＳミラーの切替指示を含む光パス切替信号を取得すると、この光パス切替信号からＭＥＭＳミラー番号を抽出し、このＭＥＭＳミラーに対して駆動制御信号を送る。駆動制御信号によりＭＥＭＳミラーのスイッチがオンされると、指定入力ポートと指定出力ポートの光経路が確立される。
【００４０】
光経路確立後、指定の入力ポートから信号光が入力されると、信号光は第１の光タップカプラ４ａでＭ×Ｎマトリックス型光スイッチ３と、第２の光タップカプラ４ｂに２分岐される。この分岐比率が９：１のときは、信号光の９０％がＭ×Ｎマトリックス型光スイッチ３に伝搬され、１０％が第２の光タップカプラ４ｂに伝搬される。
【００４１】
次いで、第２の光タップカプラ４ｂに伝搬された１０％の信号光は、更にＰＤ５とモニタポートに２分岐される。この分岐比率が５：５のときは、信号光はそれぞれ半分ずつ、つまりＰＤ５に５％とモニタポートに５％ずつ伝搬される。このうちＰＤ５に伝搬された信号光は、受光量に応じた電気信号（電圧値）に変換される。変換された電圧値は、常時、制御部２により監視されており、異常が検出された場合には、制御通信入出力ポートを介して外部に警告報知される。一方、モニタポートに伝搬された信号光は、モニタポートに接続された可搬型ネットワークアナライザにより伝送内容が解析され、或いは伝送状態が解析される。
【００４２】
従って、本発明の実施の形態によれば、光クロスコネクト装置１に２個の光タップカプラ４ａ，４ｂをカスケード接続により設けることで、従来通りの通信形態を維持しつつ、信号光の強度を常時監視し、かつ、ネットワーク上の信号光の伝送状態をモニタすることができる。
【００４３】
尚、第１の実施の形態においては、光タップカプラ４ａ，４ｂをカスケード接続し、その後段にＰＤ５を設けるようにしたが、配置形態はこれに限らず、例えば図２に示すように、２個の光タップカプラ４ａ，４ｂに代えて、３分岐用の光タップカプラ４ｃを設けるようにしても、本実施の形態と同様の効果を得ることができる。
【００４４】
また、第１の実施の形態においては、光タップカプラ４ａ，４ｂ，４ｃを入力ポート側に配置していたが、図３に示すように、これら光部品を出力ポート側に設けるようにしても、本実施の形態と同様の効果を得ることができる。また、片側ポートのみならず、両側ポートに設けるようにしてもよい。これにより更に精度高く光信号の監視ができる。
【００４５】
尚、特に、光タップカプラ４ａ，４ｂ，４ｃを基板型光導波路部品とした場合は、小型化・高集積化が容易となる。また、基板型光導波路部品は、熱光学効果などを利用して分岐比を可変することが可能であるため、伝送損失を抑制しつつ本実施の形態以上の効果を得ることが可能となる。
【００４６】
（第２の実施の形態）
図４は、本発明の第２の実施の形態に係る光クロスコネクト装置３１の構成を示す図である。
【００４７】
本発明の光クロスコネクト装置３１は、第１の実施の形態で示した光クロスコネクト装置１１と比較して、光タップカプラ４ａを入力ポート側に配置し、光タップカプラ４ｂとＰＤ５を出力ポート側に配置した点において異なる。
【００４８】
このようにすることで、モニタポートについては、Ｍ×Ｎマトリックス型光スイッチ３の挿入損失の影響を除去することができる。
また、ＰＤ５については、Ｍ×Ｎマトリックス型光スイッチ３の故障または誤動作に起因する光信号断を検出することができるという効果がある。
【００４９】
（第３の実施の形態）
図５は、本発明の第３の実施の形態に係る光クロスコネクト装置４１の構成を示す図である。
【００５０】
本発明の光クロスコネクト装置４１は、第１の実施の形態で示した光クロスコネクト装置１１と比較して、光タップカプラ４ｂとモニタポートの間に光アイソレータ６を設けた点において異なる。
【００５１】
本発明においてモニタポートは、可搬型ネットワークアナライザを障害発生時の原因解析の目的で一時的に接続する用途に主に用いることを想定している。この場合、普段は何も接続されていない状態となり、モニタポートに設けられている光コネクタは開放状態になる。そのため、この開放端でフレネル反射が生じるのを防止するために、通常、開放端には光終端器を接続して反射発生を低減させる必要がある。その場合、可搬型ネットワークアナライザを接続する、あるいは外す際にも、光終端器もネットワークアナライザも接続されていない反射の大きい状態が一時的に発生することがある。
【００５２】
従って、本発明の第３の実施の形態に示したように、光タップカプラ４ｂとモニタポートの間に光アイソレータ６を設けることで、モニタポートで生じる反射を防止することができる。具体的には、可搬型ネットワークアナライザ等のモニタ用機器の着脱時において、ノイズが信号光に重畳することを防止することができる。
【００５３】
また、可搬型ネットワークアナライザを接続していないときであっても、モニタポートに光終端器を接続することを不要とすることができる。これにより光終端器の着脱が不要となり、装置が取り扱い易くなる。
【００５４】
（第４の実施の形態）
図６は、本発明の第４の実施の形態に係る光クロスコネクト装置５１の構成を示す図である。
【００５５】
本発明の光クロスコネクト装置５１は、第１の実施の形態で示した光クロスコネクト装置１と比較して、光タップカプラ４ｂとＰＤ５との間にＮ×１選択型光スイッチ７、すなわちＮ入力１出力選択型光スイッチを設け、制御部２がＰＤ５に接続する光タップカプラ４ｂを選択可能とした点において異なる。
【００５６】
本発明において制御部２は、一定時間周期でＮ×１選択型光スイッチ７を制御し、ＰＤ５に接続する光タップカプラ４ｂを切り替えて順次信号光の強度の監視を行う。本発明によれば、ＰＤ５と付随する回路とが高価であり光入力ポート数または光出力ポート数に応じた数量を設置することが困難な場合であっても、信号光の強度を監視する機能を有する光クロスコネクト装置を安価に構成することが可能である。
【００５７】
（第５の実施の形態）
図７は、本発明の第５の実施の形態に係る光クロスコネクト装置６１の構成を示す図である。
【００５８】
本発明の光クロスコネクト装置６１は、第１の実施の形態で示した光クロスコネクト装置１と比較して、光タップカプラ４ｂとモニタポートとの間にＮ×１選択型光スイッチ７、すなわちＮ入力１出力選択型光スイッチを設け、制御部２がモニタポートに接続する光タップカプラ４ｂを選択可能とした点において異なる。
【００５９】
本発明によれば、１台のネットワークアナライザをモニタポートに常時接続設置しておけば、現地に作業者が赴く必要なしに遠隔地から通信により切替指示を出してネットワークアナライザを利用することが可能となる。さらに、制御部２が一定時間周期でＮ×１選択型光スイッチ７を制御し、モニタポートに接続する光タップカプラ４ｂを切り替えて順次信号光の伝送状態を監視するようにすれば、光強度を保ったままで伝送内容が異常となるような通信異常についても早期に検出することが可能となる。また、適切な光スイッチを選定することにより、アイソレータ無しでもポート選択時の反射光の発生を抑制することが可能となる。
【００６０】
【発明の効果】
従って本発明によれば、信号光の有無を監視する常時監視機能と、ネットワーク上の信号光の伝送状態を解析するためのモニタ機能とを設けることができるので、伝送路上でのトラブル解析と信号光の強度の監視を同時に実施することができる光クロスコネクト装置を提供することができる。
【図面の簡単な説明】
【図１】本発明の第１の実施の形態に係る光クロスコネクト装置１の構成を示す図である。
【図２】光クロスコネクト装置１において、２分岐光タップカプラに代えて、３分岐光タップカプラを配置した場合の光クロスコネクト装置１１の構成を示す図である。
【図３】光クロスコネクト装置１１において、入力ポート側に配置されていた光部品を出力ポート側に配置した場合の光クロスコネクト装置２１の構成を示す図である。
【図４】本発明の第２の実施の形態に係る光クロスコネクト装置３１の構成を示す図である。
【図５】本発明の第３の実施の形態に係る光クロスコネクト装置４１の構成を示す図である。
【図６】本発明の第４の実施の形態に係る光クロスコネクト装置５１の構成を示す図である。
【図７】本発明の第５の実施の形態に係る光クロスコネクト装置６１の構成を示す図である。
【図８】従来の光クロスコネクト装置１０１の構成を示す図である。
【図９】従来の光クロスコネクト装置１０１に光タップカプラを挿入配置した場合の構成を示す図である。
【図１０】従来の光クロスコネクト装置１０１に光タップカプラ及びフォトダイオードを挿入配置した場合の構成を示す図である。
【符号の説明】
１，１１，２１，３１，４１，５１，６１…光クロスコネクト装置
２…制御部
３…Ｍ×Ｎマトリックス型光スイッチ
４ａ，４ｂ，４ｃ…光タップカプラ
５…ＰＤ
６…光アイソレータ
７…Ｎ×１選択型光スイッチ
１０１…光クロスコネクト装置
１０２…制御部
１０３…Ｍ×Ｎマトリックス型光スイッチ
１０４…光タップカプラ
１０５…ＰＤ
１１１，１２１…光クロスコネクト装置
【図１】
2005045334.tif 000003
【図２】
2005045334.tif 000004
【図３】
2005045334.tif 000005
【図４】
2005045334.tif 000006
【図５】
2005045334.tif 000007
【図６】
2005045334.tif 000008
【図７】
2005045334.tif 000009
【図８】
2005045334.tif 000010
【図９】
2005045334.tif 000011
【図１０】
2005045334.tif 000012